(57)【要約】【課題】流通過程における商品の輸送効率化を図り得るシステムを提供する。【解決手段】本発明の流通管理システムによれば、販売者端末２１からサーバ１０に送信された「商品種類情報」及び「販売者情報」（矢印▲１▼）に基づき、輸送等される商品が商品種類情報により特定される「輸送計画情報」が作成される（ｓ２）。この輸送計画情報に従って輸送者により商品が販売者に輸送されたとき、消費者の個人情報と、販売者によってこの消費者に販売される商品に付与された識別番号とが対応付けられて管理される（ｓ３）。【選択図】  図２
2004252777.tif 000002
【特許請求の範囲】
【請求項１】
輸送者により商品が、該商品を生産する生産者から該商品を消費者に対して販売する販売者に輸送される流通過程をネットワーク通信を利用して管理するシステムであって、
消費者により販売者に注文された商品の種類を特定する商品種類情報と、該販売者を特定する販売者情報とを対応付けて認識する第１情報認識手段と、
第１情報認識手段により対応付けられて認識された商品種類情報及び販売者情報に基づき、輸送される商品が該商品種類情報により特定される輸送計画情報を作成する輸送計画作成手段と、
輸送計画作成手段により作成された輸送計画情報を、該輸送計画情報に従って商品の輸送に関する情報処理を実行する輸送処理手段を備えた輸送者端末にネットワークを介して提供する情報提供手段と、
輸送者により販売者に輸送され、該販売者により消費者に販売される又は販売された商品に対し、個々の商品を識別するために生産者により付与された商品識別情報と、該商品の注文時に該消費者から該販売者に提供された該消費者の個人情報とを対応付けて認識する第２情報認識手段と、
第２情報認識手段により対応付けて認識された消費者の個人情報と、商品識別情報とを対応付けて管理する情報管理手段とを備えていることを特徴とする流通管理システム。
【請求項２】
輸送計画作成手段が第１情報認識手段により対応付けられて認識された商品種類情報及び販売者情報に基づき、保管される商品が該商品種類情報により特定される輸送計画情報を作成し、
情報提供手段が輸送計画作成手段により作成された輸送計画情報を、該輸送計画情報に従って商品の保管に関する情報処理を実行する保管処理手段を備えた保管者端末にネットワークを介して提供することを特徴とする請求項１記載の流通管理システム。
【請求項３】
輸送計画作成手段が輸送者端末からネットワークを介して該輸送者による輸送実績情報を取得した上で、該輸送実績情報に基づき、該輸送者による商品の輸送計画を作成することを特徴とする請求項１又は２記載の流通管理システム。
【請求項４】
輸送計画作成手段が生産者から１次保管場所までの商品の輸送計画と、ｎ（ｎ＝１，２，‥）次保管場所から（ｎ＋１）次保管場所までの商品の輸送計画と、最終次保管場所から販売者までの商品の輸送計画とを作成することを特徴とする請求項１、２又は３記載の流通管理システム。
【請求項５】
第１情報認識手段により認識された商品種類情報に基づき、商品の生産計画を作成する生産計画作成手段を備え、
情報提供手段が生産計画作成手段により作成された生産計画情報をネットワークを介して生産者端末に提供することを特徴とする請求項１、２、３又は４記載の流通管理システム。
【請求項６】
生産計画作成手段が生産者端末からネットワークを介して該生産者による生産実績情報を取得した上で、該生産実績情報と、第１認識手段により認識された商品種類情報とに基づき、商品の生産計画を作成することを特徴とする請求項５記載の流通管理システム。
【発明の詳細な説明】
【０００１】
【発明の属する技術分野】
本発明は、輸送者により商品が、該商品を生産する生産者から該商品を消費者に対して販売する販売者に輸送される流通過程をネットワーク通信を利用して管理するシステムに関する。
【０００２】
【従来の技術】
消費者ｃから「黒色のタイプｘのバイクを買いたい」等、商品ｐ（ｃ）の注文があった場合、まずこの注文を受けたバイクメーカー等の生産者により、商品ｐ（ｃ）が生産される。このとき、消費者ｃに対応した形で商品（黒色のタイプｘのバイク）ｐ（ｃ）に「１２５２１‥」等の識別番号ｑ（ｃ）が付される。これは、消費者ｃの氏名、連絡先等の個人情報と識別番号ｑ（ｃ）とを対応付けて管理しておき、識別番号ｑ（ｃ）が付された商品ｐ（ｃ）に関するアフターケアサービスや、広告を行う際、識別番号ｑ（ｃ）に基づき消費者ｃを特定するためである。
【０００３】
次に、消費者ｃがその諸事情に鑑みて最も足を運ぶのに適した販売者に対し、当該消費者ｃに対応する識別番号ｑ（ｃ）が付された商品ｐ（ｃ）が輸送される。そして、消費者ｃは識別番号ｑ（ｃ）が付され、消費者ｃの注文に応じた商品ｐ（ｃ）を販売者から購入することができる。
【０００４】
一般的に商品ｐは、生産者から販売者に輸送されるまでの間、いくつかの保管場所を経由する。例えば、商品ｐは生産者から複数の１次保管場所まで輸送された後、１次保管場所から複数の２次保管場所まで輸送され、さらに２次保管場所から複数の販売者に輸送される。輸送者は、輸送対象である商品ｐを輸送車に積み込んだ上で、この輸送車により複数の１次保管場所等の目的地まで商品ｐを輸送し、目的地ごとに商品ｐを輸送車から降ろしていく。
【０００５】
なお、消費者（顧客）から商品注文があった場合、販売者の信用維持等のため、この商品が生産者から消費者に対して確実に輸送される必要がある。この観点から、所定の方式に従い、顧客の注文商品が生産者から当該顧客に対して輸送されるシステムが提案されている（例えば、特許文献１参照）。
【０００６】
【特許文献１】
特開２００２−１０８４３３号公報
【０００７】
【発明が解決しようとする課題】
しかし、最終的に識別番号ｑ（ｃ）が付された商品ｐ（ｃ）が販売者に対して輸送される必要があるという制約があった。このため、消費者ｃの注文商品ｐ（ｃ）と同一の商品（黒色のタイプｘのバイク）ｐが複数あるにも関わらず、輸送者は識別番号ｑ（ｃ）に基づき当該商品ｐ（ｃ）を選択的に輸送車に積み込み、或いは輸送車から降ろす必要があった。
【０００８】
このため、特定の識別番号ｑ（ｃ）が付された商品ｐ（ｃ）を輸送車から降ろすために手前や周囲にある商品ｐまでも一時的に降ろす必要があった。また、商品ｐ（ｃ）を輸送車から降ろした後、一時的に降ろしていた商品ｐを再度輸送車に積み込む必要があった。従って、商品ｐの輸送作業が非常に煩雑となり、輸送効率がきわめて悪かった。
【０００９】
また、省スペースのために近接して輸送車に積み込まれ得るバイクのような商品ｐについては、前記のような問題のほか、消費者Ａの注文商品ｐ（ｃ）を降ろすために降ろす必要がない商品ｐまでも降ろすため、商品ｐ同士がぶつかり合って損傷してしまう可能性が高くなる。
【００１０】
そこで、本発明は、流通過程における商品の輸送効率化を図り得るシステムを提供することを解決課題とする。
【００１１】
【課題を解決するための手段】
前記課題を解決するための本発明の流通管理システムは、消費者により販売者に注文された商品の種類を特定する商品種類情報と、該販売者を特定する販売者情報とを対応付けて認識する第１情報認識手段と、第１情報認識手段により対応付けられて認識された商品種類情報及び販売者情報に基づき、輸送される商品が該商品種類情報により特定される輸送計画情報を作成する輸送計画作成手段と、輸送計画作成手段により作成された輸送計画情報を、該輸送計画情報に従って商品の輸送に関する情報処理を実行する輸送処理手段を備えた輸送者端末にネットワークを介して提供する情報提供手段と、輸送者により販売者に輸送され、該販売者により消費者に販売される又は販売された商品に対し、個々の商品を識別するために生産者により付与された商品識別情報と、該商品の注文時に該消費者から該販売者に提供された該消費者の個人情報とを対応付けて認識する第２情報認識手段と、第２情報認識手段により対応付けて認識された消費者の個人情報と、商品識別情報とを対応付けて管理する情報管理手段とを備えていることを特徴とする。
【００１２】
本発明によれば、輸送計画作成手段により作成された「輸送計画情報」が情報提供手段により輸送者端末にネットワークを介して提供される。
【００１３】
この輸送計画情報によれば、輸送すべき商品が商品種類情報により特定されているので、商品種類情報により商品の種類が特定された上で、当該商品が輸送者により生産者から販売者まで輸送される。このため、複数の同種類の商品がある場合、輸送者は従来のように商品識別情報（識別番号）に基づき個々の商品を識別して選定した上で輸送車に積み込んだり、輸送車から降ろす必要がなくなる。また、特定の商品識別情報が付された商品を輸送車から降ろすために手前や周囲にある商品までも一時的に降ろしたり、一時的に降ろしていた商品を再度輸送車に積み込む必要もなくなる。従って、従来と比較して、流通過程における輸送効率の著しい向上を図ることができる。
【００１４】
また、省スペースのために近接して輸送車に積み込まれ得るバイクのような商品については、消費者の注文商品を輸送車から降ろすため、本来は降ろす必要がない商品までも降ろす必要が生じ得る。しかるに、本発明によれば、輸送車における商品の不要な積み込み作業・降ろし作業が省略され得るので、商品同士がぶつかり合って損傷する可能性を低減させることができる。
【００１５】
また、商品の商品識別情報と、この商品の注文時に販売者に提供された注文主である消費者の個人情報とが情報管理手段により管理される。従って、従来と同様に「商品識別情報」が付された注文商品に関するアフターケアサービスや広告等を行う際、商品を識別するための「商品識別情報」に基づき、当該商品を注文した消費者を特定することができる。
【００１６】
なお、消費者により販売者に注文された商品種類を特定する「商品種類情報」と、この販売者を特定する「販売者情報」とが第１情報認識手段により対応付けられて認識されるが、これら情報のうち一方又は両方が当該販売者端末等の一の端末からインターネットやＬＡＮ等のネットワークを介して第１情報認識手段により受信されると、オペレータ等の操作により第１情報認識手段に入力されるとの別を問わない。
【００１７】
また、輸送者により販売者に輸送され、販売者により消費者に販売される又は販売された商品に対し、個々の商品を識別するため生産者により付与された「商品識別情報」と、この商品の注文時に消費者から販売者に提供された「消費者の個人情報」とが第２情報認識手段により対応付けられて認識されるが、これら情報のうち一方又は両方が当該販売者端末等の一の端末からインターネットやＬＡＮ等のネットワークを介して第２情報認識手段により受信されると、オペレータ等の操作により第２情報認識手段に入力されるとの別を問わない。
【００１８】
また本発明の流通管理システムは、輸送計画作成手段が第１情報認識手段により対応付けられて認識された商品種類情報及び販売者情報に基づき、保管される商品が該商品種類情報により特定される輸送計画情報を作成し、情報提供手段が輸送計画作成手段により作成された輸送計画情報を、該輸送計画情報に従って商品の保管に関する情報処理を実行する保管処理手段を備えた保管者端末にネットワークを介して提供することを特徴とする。
【００１９】
本発明によれば、輸送計画作成手段により作成された「輸送計画情報」が情報提供手段により保管者端末にネットワークを介して提供される。
【００２０】
この輸送計画情報によれば、保管すべき商品が商品種類情報により特定されているので、商品種類情報により商品の種類が特定された上で、当該商品が保管者により保管される。このため、複数の同種類の商品がある場合、保管者は商品識別情報（識別番号）に基づき個々の商品を識別して選定した上で保管場所に保管する必要がなくなる。従って、流通過程における保管効率の著しい向上を図ることができる。
【００２１】
また本発明の流通管理システムは、輸送計画作成手段が輸送者端末からネットワークを介して該輸送者による輸送実績情報を取得した上で、該輸送実績情報に基づき、該輸送者による商品の輸送計画を作成することを特徴とする。
【００２２】
本発明によれば、輸送者の輸送実績に応じて各輸送者の商品の輸送計画が作成されるので、輸送実績に反映されている輸送者ごとの輸送能力を超えないように輸送計画が作成され得る。従って、輸送者はこの輸送計画どおりに商品を輸送することができ、これにより商品のタイプ、数量、納品時期等に関する消費者のニーズに応えた形で消費者に対して注文商品を販売することができる。
【００２３】
さらに本発明の流通管理システムは、輸送計画作成手段が生産者から１次保管場所までの商品の輸送計画と、ｎ（ｎ＝１，２，‥）次保管場所から（ｎ＋１）次保管場所までの商品の輸送計画と、最終次保管場所から販売者までの商品の輸送計画とを作成することを特徴とする。
【００２４】
本発明によれば、商品が生産者から複数の保管場所を経て販売者に輸送される場合でも、販売者に対してその注文商品が確実に渡されるように、当該注文商品が生産者から販売者に対して確実に輸送され得る。
【００２５】
さらに本発明の流通管理システムは、第１情報認識手段により認識された商品種類情報に基づき、商品の生産計画を作成する生産計画作成手段を備え、情報提供手段が生産計画作成手段により作成された生産計画情報をネットワークを介して生産者端末に提供することを特徴とする。
【００２６】
本発明によれば、消費者がどのような商品をどれだけ注文したか、納品期限はいつか等の商品種類情報に従って生産計画が作成され、また、この生産計画に従って生産者により注文商品が生産され得る。従って、商品のタイプ、数量、納品時期等に関する消費者のニーズに応えた形で、当該消費者に対してその注文商品を販売することができる。
【００２７】
また本発明の流通管理システムは、生産計画作成手段が生産者端末からネットワークを介して該生産者による生産実績情報を取得した上で、該生産実績情報と、第１認識手段により認識された商品種類情報とに基づき、商品の生産計画を作成することを特徴とする。
【００２８】
本発明によれば、生産者の生産実績に応じて各生産者の商品の生産計画が作成されるので、生産実績に反映されている生産者ごとの生産能力を超えないように生産計画が作成され得る。従って、生産者はこの生産計画どおりに商品を生産することができ、これにより商品のタイプ、数量、納品時期等に関する消費者のニーズに応えた形で消費者に対して注文商品を販売することができる。
【００２９】
【発明の実施の形態】
本発明の流通管理システムの実施形態について図面を用いて説明する。
【００３０】
図１は本発明の一の実施形態における流通管理システムの構成説明図であり、図２及び図３は本発明の一の実施形態における流通管理システムの機能説明図である。
【００３１】
図１に示す流通管理システムは、商品の販売者により管理されている販売者端末２１、商品の生産者により管理されている生産者端末２２、商品の輸送者により管理されている輸送者端末２３、及び商品の保管者により管理されている保管者端末２４と相互に通信可能な状態でインターネット等のネットワークを介して接続されたサーバ１０によって構成されている。なお、流通管理システムは１台のサーバ１０により構成されてもよく、複数台のサーバ１０により構成されてもよい。
【００３２】
流通管理システムは、第１情報認識ユニット１１と、生産計画作成ユニット１２と、輸送計画作成ユニット１３と、情報提供ユニット１４と、第２情報認識ユニット１５と、情報管理ユニット１６とを備えている。
【００３３】
第１情報認識ユニット１１は消費者により注文された商品の種類を特定する「商品種類情報」と、消費者のこの注文を受けた販売者を特定する「販売者情報」とを販売者端末２１からネットワークを介して受信した上で、対応付けて認識する。
【００３４】
生産計画作成ユニット１２は生産者端末２２からネットワークを介してこの輸送者による「生産実績情報」を取得した上で、この「生産実績情報」と、第１情報認識ユニット１１により認識された「商品時種類情報」とに基づき、商品の「生産計画情報」を作成する。
【００３５】
輸送計画作成ユニット１３は輸送者端末２３からネットワークを介してこの輸送者による「輸送実績情報」を取得した上で、この「輸送実績情報」と、第１情報認識ユニット１１により対応付けられて認識された「商品種類情報」及び「販売者情報」とに基づき、輸送者により輸送され、且つ、保管者により保管される商品が当該「商品種類情報」により特定される「輸送計画情報」を作成する。
【００３６】
情報提供ユニット１４は生産計画作成ユニット１２により作成された「生産計画情報」をネットワークを介して生産者端末２２に提供する。また情報提供ユニット１４は輸送計画作成ユニット１２により作成された「輸送計画情報」をネットワークを介して輸送者端末２３に提供する。
【００３７】
第２情報認識ユニット１５は個々の商品を識別するために生産者により付与された「商品識別情報」と、この商品識別情報により種類が特定される商品の注文時に消費者から販売者に提供された「この消費者の個人情報」とを販売者端末２１からネットワークを介して受信した上で対応付けて認識する。
【００３８】
情報管理ユニット１６は第２情報認識ユニット１５により対応付けて認識された「消費者の個人情報」と「商品識別情報」とを対応付けて管理する。
【００３９】
輸送者端末２３は輸送計画作成ユニット１３によって作成された「輸送計画情報」に従って商品の輸送に関する情報処理を実行する輸送処理ユニット２３２を備えている。輸送者端末２４は輸送計画作成ユニット１３によって作成された「輸送計画情報」に従って商品の保管に関する情報処理を実行する保管処理ユニット２４２を備えている。
【００４０】
前記構成の流通管理システムの機能について図２及び図３を用い説明する。
【００４１】
まず、図３に斜線矢印で示すように消費者が販売者に対して氏名、生年月日、住所、職業等、個人情報を提供するとともに、「〜色のタイプ‥の自動車」が欲しい等、様式、型、色等により種類が特定される商品を注文をする。
【００４２】
消費者の注文を受け、販売者がその端末２１にこの消費者により注文された商品の種類を特定する「商品種類情報」を入力すると、端末２１からサーバ１０に対してこの販売者を特定する「販売者情報」が送信される（図２矢印▲１▼）。これにより第１情報認識ユニット１１が「商品種類情報」及び「販売者情報」を対応付けて認識する。なお、商品の注文時、消費者により販売者に対して当該消費者の氏名、住所、連絡先、職業等の「個人情報」が提供される。
【００４３】
また、生産者により生産者端末２２が操作が所定手順で操作されたり、所定タイミングに到った等のとき、生産者端末２２からサーバ１０に対して当該生産者の生産能力を示す「生産実績情報」が送信される（図２矢印▲２▼）。さらに輸送者により輸送者端末２３が操作が所定手順で操作されたり、所定タイミングに到った等のとき、輸送者端末２３からサーバ１０に対してその輸送者の輸送能力を示す「輸送実績情報」が送信される（図２矢印▲３▼）。商品種類情報及び販売者情報（図２矢印▲１▼）、生産実績情報（図２矢印▲２▼）及び輸送実績情報（図２矢印▲３▼）の送信の先後は問わない。
【００４４】
次に生産計画作成ユニット１２により、販売者端末２１から送信された商品種類情報（図２矢印▲１▼）及び生産者端末２２から送信された生産実績情報（図２矢印▲２▼）に基づき、どの生産者がどの商品を、いつ、どれだけ生産するか等の「生産計画」が作成される（図２ｓ１）。
【００４５】
また輸送計画作成ユニット１３により、販売者端末２１から送信された商品種類情報及び販売者情報（図２矢印▲１▼）と、輸送者端末２３から送信された輸送実績情報（図２矢印▲３▼）とに基づき、どの輸送者がどの商品種類情報により特定される商品を、いつ、どれだけ、どこからどこまで輸送するか、どの保管者がどの商品種類情報により特定される商品を、いつ、どれだけ保管するか等の「輸送計画情報」が作成される（図２ｓ２）。
【００４６】
続いて、サーバ１０から生産者端末２２に対し、生産計画作成ユニット１２により作成された生産計画情報が送信される（図２矢印▲４▼）。各生産者はその端末２２を介して取得した生産計画情報に従って商品を生産する。このとき、生産者により各商品に対して個々の商品を識別するための識別番号（商品識別情報）が付与される。
【００４７】
またサーバ１０から輸送者端末２３及び保管者端末２４に対し、輸送計画作成ユニット１３により作成された「輸送計画情報」が送信される（図２矢印▲５▼）。これにより、輸送者端末２３の輸送管理ユニット２３２により、当該輸送計画情報に従って商品を輸送するための情報処理が実行される。また、保管者端末２４の保管管理ユニット２４２により、当該輸送計画情報に従って商品を保管するための情報処理が実行される。
【００４８】
そして、各輸送者によって商品が「商品種類情報」により特定されている「輸送計画情報」に従って当該商品が生産者から１次保管場所まで輸送され（図３矢印（１））、１次保管場所から２次保管場所まで輸送され（図３矢印（２））、２次保管場所から各販売者まで輸送される（図３矢印（３））。また、各保管場所において保管者によって商品が「商品種類情報」により特定されている「輸送計画情報」に従って当該商品が保管される。
【００４９】
販売者は輸送者により商品が輸送された後（図３矢印（３）参照）、販売者端末２１からサーバ１０に対し「消費者の個人情報」と、この消費者に販売される商品を識別するために付された「識別番号（商品識別情報）」とが送信される（図２矢印▲６▼）。これにより第２情報錦ユニット１５が「消費者の個人情報」及び「識別番号」を対応付けて認識する。例えば、消費者の注文した商品が「〜色のタイプ‥の自動車」である場合、販売者に輸送された複数の自動車（商品）のうち、〜色のタイプ‥の自動車に付与されている識別番号が、当該消費者の個人情報に対応する。
【００５０】
そして、情報管理ユニット１６により「消費者の個人情報」及び「識別番号」が対応付けて管理される（図２ｓ３）。また、販売者により、消費者に対してその注文商品が販売される（図３矢印（４））。
【００５１】
本発明の流通管理システムによれば輸送計画作成ユニットにより作成された輸送計画情報が情報提供ユニット１４により輸送者端末２３にネットワークを介して提供される（図２矢印▲５▼）。
【００５２】
この輸送計画情報によれば、輸送すべき商品が商品種類情報により特定されているので、商品種類情報により商品の種類が特定された上で、当該商品が輸送者により生産者から販売者まで輸送される（図３矢印（１）〜（３））。このため、複数の同種類の商品がある場合、輸送者は従来のように商品識別情報（識別番号）に基づき個々の商品を識別して選定した上で輸送車に積み込んだり、輸送車から降ろす必要がなくなる。また、特定の商品識別情報が付された商品を輸送車から降ろすために手前や周囲にある商品までも一時的に降ろしたり、一時的に降ろしていた商品を再度輸送車に積み込む必要もなくなる。従って、従来と比較して、流通過程における輸送効率の著しい向上を図ることができる。
【００５３】
また、省スペースのために近接して輸送車に積み込まれ得るバイクのような商品については、消費者の注文商品を輸送車から降ろすため、本来は降ろす必要がない商品までも降ろす必要が生じ得る。しかるに、本発明によれば、輸送車における商品の不要な積み込み作業・降ろし作業が省略され得るので、商品同士がぶつかり合って損傷する可能性を低減させることができる。
【００５４】
また、商品の「商品識別情報」と、この商品の注文時に販売者に提供された注文主である消費者の「個人情報」とが情報管理ユニット１６により管理される（図２ｓ３）。従って、従来と同様に「商品識別情報」が付された注文商品に関するアフターケアサービスや広告等を行う際、商品を識別するための「商品識別情報」に基づき、当該商品を注文した消費者を特定することができる。
【００５５】
さらに、輸送計画作成ユニット１３により作成された輸送計画情報が、情報提供ユニット１４により保管者端末２４にネットワークを介して提供される（図２矢印▲５▼）。
【００５６】
この輸送計画情報によれば、保管すべき商品が商品種類情報により特定されているので、商品種類情報により商品の種類が特定された上で、当該商品が保管者により保管される。このため、複数の同種類の商品がある場合、保管者は商品識別情報（識別番号）に基づき個々の商品を識別して選定した上で保管場所に保管する必要がなくなる。従って、流通過程における保管効率の著しい向上を図ることができる。
【００５７】
なお、前記実施形態では「商品種類情報」及び「販売者情報」が販売者端末２１からネットワークを介してサーバ１０に送信されたが（図２矢印▲１▼）、他の実施形態として流通管理システムが販売者端末２１により構成される場合、オペレータ等の操作により当該情報が販売者端末２１に直接入力されてもよい。
【００５８】
また「商品識別情報」及び「消費者の個人情報」が販売者端末２１からネットワークを介してサーバ１０に送信されたが（図２矢印▲１▼）、他の実施形態として流通管理システムが販売者端末２１により構成される場合、オペレータ等の操作により当該情報が販売者端末２１に直接入力されてもよい。
【図面の簡単な説明】
【図１】本発明の一の実施形態における流通管理システムの構成説明図
【図２】本発明の一の実施形態における流通管理システムの機能説明図（その１）
【図３】本発明の一の実施形態における流通管理システムの機能説明図（その２）
【符号の説明】
１０‥サーバ（流通管理システム）、１１‥第１情報認識ユニット、１２‥生産計画作成ユニット、１３‥輸送計画作成ユニット、１４‥情報提供ユニット、１５‥第２情報認識ユニット、１６‥情報提供ユニット、２１‥販売者端末、２２‥生産者端末、２３‥輸送者端末、２３２‥輸送処理ユニット、２４‥保管者端末、２４２‥保管処理ユニット
【図１】
2004252777.tif 000003
【図２】
2004252777.tif 000004
【図３】
2004252777.tif 000005